(57)【要約】【課題】  企業とか団体はスポンサーとなってノベルティ・グッズの配布を行うが、その配布からスポンサーにフィードバックされる情報は皆無に等しい。【解決手段】  インターネットと通信技術を利用し、広告付き葉書サービスを提供するプロバイダーと、プロバイダーのＨＭＰ運営システム２００と、葉書を差し出す利用者がインターネット接続する端末とからなり、前記ＨＭＰ運営システム２００と前記端末はインターネット接続され、利用者が差し出す葉書の情報は、端末からＨＭＰ運営システム２００に送出、記憶され、プロバイダーはＨＭＰ運営システム２００に記憶された葉書の情報から広告付き葉書を作成し、配達し、さらに、利用者から葉書の情報として、或いはその他の方法として収集した情報を集計しマーケティング情報としてフィードバックするという、ハイブリッド・マーケティング・プロモーション・システム。【選択図】図２
2005346681.tif 000002
【特許請求の範囲】
【請求項１】
少なくとも、携帯電話とか携帯端末とかパソコン等に代表されるようなインターネット接続できる端末と、
少なくとも、インターネットを利用し手紙サービスをするプロバイダの接続先名（ＵＲＬ）が手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、手紙に記録する広告告知情報が文章とか図柄等によって広告情報として記憶されており、
該利用者が該端末から該手紙サービスを利用する際に、
該識別装置に記録されている該利用許諾情報によって該手紙サービス利用の許諾を行うステップと、
該利用者が手紙に記録する宛先とか伝達情報とかに付加して前記広告情報を含めて通信情報として登録するステップを含むことを特徴とするハイブリッド・メール情報収集方法。
【請求項２】
少なくとも、携帯電話とか携帯端末とかパソコン等に代表されるようなインターネット接続できる端末と、
少なくとも、インターネットを利用し手紙サービスをするプロバイダの接続先名（ＵＲＬ）が手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、手紙に記録する広告告知情報が２つ以上の文章とか図柄等によって広告選択情報として記憶されており、
該利用者が該端末から該手紙サービスを利用する際に、
該識別装置に記録されている該利用許諾情報によって該手紙サービス利用の許諾を行うステップと、
該利用者が手紙に記録する宛先とか伝達情報とかに付加して前記広告選択情報から１つ以上を選択して、その選択された広告選択情報を含めて通信情報として登録するステップを含むことを特徴とするハイブリッド・メール情報収集方法。
【請求項３】
少なくとも、携帯電話とか携帯端末とかパソコン等に代表されるようなインターネット接続できる端末と、
少なくとも、インターネットを利用し手紙サービスをするプロバイダの接続先名（ＵＲＬ）が手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、手紙に記録する広告告知情報が文章とか図柄等による広告情報と、１つ以上選択されて手紙に記録する広告告知情報が２つ以上の文章とか図柄等による広告選択情報として記憶されており、
該利用者が該端末から該手紙サービスを利用する際に、
該識別装置に記録されている該利用許諾情報によって該手紙サービス利用の許諾を行うステップと、
該利用者が手紙に記録する宛先とか伝達情報とか前記広告情報に付加して前記広告選択情報から１つ以上を選択された広告選択情報を含めて通信情報として登録するステップを含むことを特徴とするハイブリッド・メール情報収集方法。
【請求項４】
請求項１〜３の何れかに記載のハイブリッド・メール情報収集方法において、
少なくとも、前記通信情報を利用して手紙を作成するステップを含むことを特徴とするハイブリッド・メール情報収集方法。
【請求項５】
請求項１〜４の何れかに記載のハイブリッド・メール情報収集方法において、
少なくとも、前記通信情報から１つ以上の項目を集計するステップを含むことを特徴とするハイブリッド・メール情報収集方法。
【請求項６】
請求項１〜５の何れかに記載のハイブリッド・メール情報収集方法において、
少なくとも、アンケートの為のデータを該利用者の該端末に送信するステップと、前記アンケートに対する回答を該利用者の該端末から受け取るステップを含むことを特徴とするハイブリッド・メール情報収集方法。
【請求項７】
収集した前記回答データから１つ以上の項目を集計するステップを含むことを特徴とする請求項６記載のハイブリッド・メール情報収集方法。
【請求項８】
少なくとも、携帯電話とか携帯端末とかパソコン等に代表されるようなインターネット接続できる端末と、
少なくとも、インターネットを利用し手紙サービスをするプロバイダの接続先名（ＵＲＬ）とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、前記識別記号と利用可能度数とを対応付けて予め記録したものと、
手紙に記録する広告告知情報が文章とか図柄等によって広告情報として記録したものが記憶されており、
該利用者が該端末から上記識別記号で該手紙サービスを利用すると、
該利用者が手紙に記録する宛先とか伝達情報とかに付加して前記広告情報を含めて通信情報として登録するステップと、
該識別記号による該手紙サービス利用の許諾を行うステップと、
該識別記号による該手紙サービス利用が行われた場合、該手紙サービス利用量に応じて該識別記号の利用可能度数を減少するステップを含むことを特徴とするハイブリッド・メール情報収集方法。
【請求項９】
少なくとも、携帯電話とか携帯端末とかパソコン等に代表されるようなインターネット接続できる端末と、
少なくとも、インターネットを利用し手紙サービスをするプロバイダの接続先名（ＵＲＬ）とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、前記識別記号と利用可能度数とを対応付けて予め記録したものと、
手紙に記録する広告告知情報が２つ以上の文章とか図柄等によって広告選択情報として記録したものが記憶されており、
該利用者が該端末から上記識別記号で該手紙サービスを利用すると、
該利用者が手紙に記録する宛先とか伝達情報とかに付加して前記広告選択情報から１つ以上を選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号の利用可能度数を減少するステップを含むことを特徴とするハイブリッド・メール情報収集方法。
【請求項１０】
少なくとも、携帯電話とか携帯端末とかパソコン等に代表されるようなインターネット接続できる端末と、
少なくとも、インターネットを利用し手紙サービスをするプロバイダの接続先名（ＵＲＬ）とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、前記識別記号と利用可能度数とを対応付けて予め記録したものと、
手紙に記録する広告告知情報が文章とか図柄等による広告情報として記録したものと、
１つ以上選択されて手紙に記録する広告告知情報が２つ以上の文章とか図柄等による広告選択情報として記録したものが記憶されており、
該利用者が該端末から上記識別記号で該手紙サービスを利用すると、
該利用者が手紙に記録する宛先とか伝達情報とか前記広告情報に付加して前記広告選択情報から１つ以上を選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号の利用可能度数を減少するステップを含むことを特徴とするハイブリッド・メール情報収集方法。
【請求項１１】
請求項８〜１０の何れかに記載のハイブリッド・メール情報収集方法において、
少なくとも、前記通信情報を利用して手紙を作成するステップを含むことを特徴とするハイブリッド・メール情報収集方法。
【請求項１２】
請求項１〜１１の何れかに記載のハイブリッド・メール情報収集方法において、
少なくとも、前記通信情報から１つ以上の項目を集計するステップを含むことを特徴とするハイブリッド・メール情報収集方法。
【請求項１３】
請求項１〜１２の何れかに記載のハイブリッド・メール情報収集方法において、
少なくとも、アンケートの為のデータを該利用者の該端末に送信するステップと、前記アンケートに対する回答を該利用者の該端末から受け取るステップを含むことを特徴とするハイブリッド・メール情報収集方法。
【請求項１４】
収集した前記回答データから１つ以上の項目を集計するステップを含むことを特徴とする請求項１３記載のハイブリッド・メール情報収集方法。
【請求項１５】
少なくとも、携帯電話とか携帯端末とかパソコン等に代表されるようなインターネット接続できる端末と、
少なくとも、インターネットを利用し手紙サービスをするプロバイダの接続先名（ＵＲＬ）とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、前記利用者識別記号と、
前記識別記号に関する情報と、
手紙に記録する広告告知情報が文章とか図柄等によって広告情報として記録したものが記憶されており、
該利用者が該端末から上記識別記号で該手紙サービスを利用すると、
該利用者が手紙に記録する宛先とか伝達情報とかに付加して前記広告情報を含めて通信情報として登録するステップと、
該識別記号による該手紙サービス利用の許諾を行うステップと、
該識別記号による該手紙サービス利用が行われた場合、該手紙サービス利用量に応じて該識別記号に課金すべき利用度数の積算処理をするステップを含むことを特徴とするハイブリッド・メール情報収集方法。
【請求項１６】
少なくとも、携帯電話とか携帯端末とかパソコン等に代表されるようなインターネット接続できる端末と、
少なくとも、インターネットを利用し手紙サービスをするプロバイダの接続先名（ＵＲＬ）とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、前記利用者識別記号と、
前記識別記号に関する情報と、
手紙に記録する広告告知情報が２つ以上の文章とか図柄等によって広告選択情報として記録したものが記憶されており、
該利用者が該端末から上記識別記号で該手紙サービスを利用すると、
該利用者が手紙に記録する宛先とか伝達情報とかに付加して前記広告選択情報から１つ以上を選択して、その選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号に課金すべき利用度数の積算処理をするステップを含むことを特徴とするハイブリッド・メール情報収集方法。
【請求項１７】
少なくとも、携帯電話とか携帯端末とかパソコン等に代表されるようなインターネット接続できる端末と、
少なくとも、インターネットを利用し手紙サービスをするプロバイダの接続先名（ＵＲＬ）とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、前記利用者識別記号と、
前記識別記号に関する情報と、
手紙に記録する広告告知情報が文章とか図柄等による広告情報として記録したものと、
１つ以上選択されて手紙に記録する広告告知情報が２つ以上の文章とか図柄等による広告選択情報として記録したものが記憶されており、
該利用者が該端末から上記識別記号で該手紙サービスを利用すると、
該利用者が手紙に記録する宛先とか伝達情報とか前記広告情報に付加して前記広告選択情報から１つ以上を選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号に課金すべき利用度数の積算処理をするステップを含むことを特徴とするハイブリッド・メール情報収集方法。
【請求項１８】
請求項１５〜１７の何れかに記載のハイブリッド・メール情報収集方法において、
少なくとも、前記通信情報を利用して手紙を作成するステップを含むことを特徴とするハイブリッド・メール情報収集方法。
【請求項１９】
請求項１５〜１８の何れかに記載のハイブリッド・メール情報収集方法において、
少なくとも、前記通信情報から１つ以上の項目を集計するステップを含むことを特徴とするハイブリッド・メール情報収集方法。
【請求項２０】
請求項１５〜１９の何れかに記載のハイブリッド・メール情報収集方法において、
少なくとも、アンケートの為のデータを該利用者の該端末に送信するステップと、前記アンケートに対する回答を該利用者の該端末から受け取るステップを含むことを特徴とするハイブリッド・メール情報収集方法。
【請求項２１】
収集した前記回答データから１つ以上の項目を集計するステップを含むことを特徴とする請求項２０記載のハイブリッド・メール情報収集方法。
【請求項２２】
少なくとも、携帯電話とか携帯端末とかパソコン等に代表されるような通信回線に接続できる端末と、
少なくとも、通信回線を利用し手紙サービスをするプロバイダの接続先名が手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、手紙に記録する広告告知情報が文章とか図柄等によって広告情報として記憶されており、
該利用者が該端末から該手紙サービスを利用する際に、
該識別装置に記録されている該利用許諾情報によって該手紙サービス利用の許諾を行うステップと、
該利用者が手紙に記録する宛先とか伝達情報とかに付加して前記広告情報を含めて通信情報として登録するステップを含むことを特徴とするハイブリッド・メール情報収集方法。
【請求項２３】
少なくとも、携帯電話とか携帯端末とかパソコン等に代表されるような通信回線に接続できる端末と、
少なくとも、通信回線を利用し手紙サービスをするプロバイダの接続先名が手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、手紙に記録する広告告知情報が２つ以上の文章とか図柄等によって広告選択情報として記憶されており、
該利用者が該端末から該手紙サービスを利用する際に、
該識別装置に記録されている該利用許諾情報によって該手紙サービス利用の許諾を行うステップと、
該利用者が手紙に記録する宛先とか伝達情報とかに付加して前記広告選択情報から１つ以上を選択して、その選択された広告選択情報を含めて通信情報として登録するステップを含むことを特徴とするハイブリッド・メール情報収集方法。
【請求項２４】
少なくとも、携帯電話とか携帯端末とかパソコン等に代表されるような通信回線に接続できる端末と、
少なくとも、通信回線を利用し手紙サービスをするプロバイダの接続先名が手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、手紙に記録する広告告知情報が文章とか図柄等による広告情報と、１つ以上選択されて手紙に記録する広告告知情報が２つ以上の文章とか図柄等による広告選択情報として記憶されており、
該利用者が該端末から該手紙サービスを利用する際に、
該識別装置に記録されている該利用許諾情報によって該手紙サービス利用の許諾を行うステップと、
該利用者が手紙に記録する宛先とか伝達情報とか前記広告情報に付加して前記広告選択情報から１つ以上を選択された広告選択情報を含めて通信情報として登録するステップを含むことを特徴とするハイブリッド・メール情報収集方法。
【請求項２５】
請求項２２〜２４の何れかに記載のハイブリッド・メール情報収集方法において、
少なくとも、前記通信情報を利用して手紙を作成するステップを含むことを特徴とするハイブリッド・メール情報収集方法。
【請求項２６】
請求項２２〜２５の何れかに記載のハイブリッド・メール情報収集方法において、
少なくとも、前記通信情報から１つ以上の項目を集計するステップを含むことを特徴とするハイブリッド・メール情報収集方法。
【請求項２７】
請求項２２〜２６の何れかに記載のハイブリッド・メール情報収集方法において、
少なくとも、アンケートの為のデータを該利用者の該端末に送信するステップと、前記アンケートに対する回答を該利用者の該端末から受け取るステップを含むことを特徴とするハイブリッド・メール情報収集方法。
【請求項２８】
収集した前記回答データから１つ以上の項目を集計するステップを含むことを特徴とする請求項２７記載のハイブリッド・メール情報収集方法。
【請求項２９】
少なくとも、携帯電話とか携帯端末とかパソコン等に代表されるような通信回線に接続できる端末と、
少なくとも、通信回線を利用し手紙サービスをするプロバイダの接続先名とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、前記識別記号と利用可能度数とを対応付けて予め記録したものと、
手紙に記録する広告告知情報が文章とか図柄等によって広告情報として記録したものが記憶されており、
該利用者が該端末から上記識別記号で該手紙サービスを利用すると、
該利用者が手紙に記録する宛先とか伝達情報とかに付加して前記広告情報を含めて通信情報として登録するステップと、
該識別記号による該手紙サービス利用の許諾を行うステップと、
該識別記号による該手紙サービス利用が行われた場合、該手紙サービス利用量に応じて該識別記号の利用可能度数を減少するステップを含むことを特徴とするハイブリッド・メール情報収集方法。
【請求項３０】
少なくとも、携帯電話とか携帯端末とかパソコン等に代表されるような通信回線に接続できる端末と、
少なくとも、通信回線を利用し手紙サービスをするプロバイダの接続先名とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、前記識別記号と利用可能度数とを対応付けて予め記録したものと、
手紙に記録する広告告知情報が２つ以上の文章とか図柄等によって広告選択情報として記録したものが記憶されており、
該利用者が該端末から上記識別記号で該手紙サービスを利用すると、
該利用者が手紙に記録する宛先とか伝達情報とかに付加して前記広告選択情報から１つ以上を選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号の利用可能度数を減少するステップを含むことを特徴とするハイブリッド・メール情報収集方法。
【請求項３１】
少なくとも、携帯電話とか携帯端末とかパソコン等に代表されるような通信回線に接続できる端末と、
少なくとも、通信回線を利用し手紙サービスをするプロバイダの接続先名とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、前記識別記号と利用可能度数とを対応付けて予め記録したものと、
手紙に記録する広告告知情報が文章とか図柄等による広告情報として記録したものと、
１つ以上選択されて手紙に記録する広告告知情報が２つ以上の文章とか図柄等による広告選択情報として記録したものが記憶されており、
該利用者が該端末から上記識別記号で該手紙サービスを利用すると、
該利用者が手紙に記録する宛先とか伝達情報とか前記広告情報に付加して前記広告選択情報から１つ以上を選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号の利用可能度数を減少するステップを含むことを特徴とするハイブリッド・メール情報収集方法。
【請求項３２】
請求項２９〜３１の何れかに記載のハイブリッド・メール情報収集方法において、
少なくとも、前記通信情報を利用して手紙を作成するステップを含むことを特徴とするハイブリッド・メール情報収集方法。
【請求項３３】
請求項２９〜３２の何れかに記載のハイブリッド・メール情報収集方法において、
少なくとも、前記通信情報から１つ以上の項目を集計するステップを含むことを特徴とするハイブリッド・メール情報収集方法。
【請求項３４】
請求項２９〜３３の何れかに記載のハイブリッド・メール情報収集方法において、
少なくとも、アンケートの為のデータを該利用者の該端末に送信するステップと、前記アンケートに対する回答を該利用者の該端末から受け取るステップを含むことを特徴とするハイブリッド・メール情報収集方法。
【請求項３５】
収集した前記回答データから１つ以上の項目を集計するステップを含むことを特徴とする請求項３４記載のハイブリッド・メール情報収集方法。
【請求項３６】
少なくとも、携帯電話とか携帯端末とかパソコン等に代表されるような通信回線に接続できる端末と、
少なくとも、通信回線を利用し手紙サービスをするプロバイダの接続先名とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、前記利用者識別記号と、
前記識別記号に関する情報と、
手紙に記録する広告告知情報が文章とか図柄等によって広告情報として記録したものが記憶されており、
該利用者が該端末から上記識別記号で該手紙サービスを利用すると、
該利用者が手紙に記録する宛先とか伝達情報とかに付加して前記広告情報を含めて通信情報として登録するステップと、
該識別記号による該手紙サービス利用の許諾を行うステップと、
該識別記号による該手紙サービス利用が行われた場合、該手紙サービス利用量に応じて該識別記号に課金すべき利用度数の積算処理をするステップを含むことを特徴とするハイブリッド・メール情報収集方法。
【請求項３７】
少なくとも、携帯電話とか携帯端末とかパソコン等に代表されるような通信回線に接続できる端末と、
少なくとも、通信回線を利用し手紙サービスをするプロバイダの接続先名とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、前記利用者識別記号と、
前記識別記号に関する情報と、
手紙に記録する広告告知情報が２つ以上の文章とか図柄等によって広告選択情報として記録したものが記憶されており、
該利用者が該端末から上記識別記号で該手紙サービスを利用すると、
該利用者が手紙に記録する宛先とか伝達情報とかに付加して前記広告選択情報から１つ以上を選択して、その選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号に課金すべき利用度数の積算処理をするステップを含むことを特徴とするハイブリッド・メール情報収集方法。
【請求項３８】
少なくとも、携帯電話とか携帯端末とかパソコン等に代表されるような通信回線に接続できる端末と、
少なくとも、通信回線を利用し手紙サービスをするプロバイダの接続先名とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、前記利用者識別記号と、
前記識別記号に関する情報と、
手紙に記録する広告告知情報が文章とか図柄等による広告情報として記録したものと、
１つ以上選択されて手紙に記録する広告告知情報が２つ以上の文章とか図柄等による広告選択情報として記録したものが記憶されており、
該利用者が該端末から上記識別記号で該手紙サービスを利用すると、
該利用者が手紙に記録する宛先とか伝達情報とか前記広告情報に付加して前記広告選択情報から１つ以上を選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号に課金すべき利用度数の積算処理をするステップを含むことを特徴とするハイブリッド・メール情報収集方法。
【請求項３９】
請求項３６〜３８の何れかに記載のハイブリッド・メール情報収集方法において、
少なくとも、前記通信情報を利用して手紙を作成するステップを含むことを特徴とするハイブリッド・メール情報収集方法。
【請求項４０】
請求項３６〜３９の何れかに記載のハイブリッド・メール情報収集方法において、
少なくとも、前記通信情報から１つ以上の項目を集計するステップを含むことを特徴とするハイブリッド・メール情報収集方法。
【請求項４１】
請求項３６〜４０の何れかに記載のハイブリッド・メール情報収集方法において、
少なくとも、アンケートの為のデータを該利用者の該端末に送信するステップと、前記アンケートに対する回答を該利用者の該端末から受け取るステップを含むことを特徴とするハイブリッド・メール情報収集方法。
【請求項４２】
収集した前記回答データから１つ以上の項目を集計するステップを含むことを特徴とする請求項４１記載のハイブリッド・メール情報収集方法。
【請求項４３】
手紙サービスを提供するプロバイダは、少なくとも、管理用コンピュータを備え、
前記管理用コンピュータには、少なくとも、手紙に記録する広告告知情報が文章とか図柄等によって広告情報として記憶されており、
該手紙サービスの利用を許諾された利用者が該手紙サービスを利用する際に、
該利用者が手紙に記録する宛先とか伝達情報とかに付加して前記広告情報を含めて通信情報として登録するステップを含むことを特徴とするハイブリッド・メール情報収集方法。
【請求項４４】
手紙サービスを提供するプロバイダは、少なくとも、管理用コンピュータを備え、
前記管理用コンピュータには、少なくとも、手紙に記録する広告告知情報が２つ以上の文章とか図柄等によって広告選択情報として記憶されており、
該該手紙サービスの利用を許諾された利用者が該手紙サービスを利用する際に、
該利用者が手紙に記録する宛先とか伝達情報とかに付加して前記広告選択情報から１つ以上を選択して、その選択された広告選択情報を含めて通信情報として登録するステップを含むことを特徴とするハイブリッド・メール情報収集方法。
【請求項４５】
手紙サービスを提供するプロバイダは、少なくとも、管理用コンピュータを備え、
前記管理用コンピュータには、少なくとも、手紙に記録する広告告知情報が文章とか図柄等による広告情報と、１つ以上選択されて手紙に記録する広告告知情報が２つ以上の文章とか図柄等による広告選択情報として記憶されており、
該該手紙サービスの利用を許諾された利用者が該手紙サービスを利用する際に、
該利用者が手紙に記録する宛先とか伝達情報とか前記広告情報に付加して前記広告選択情報から１つ以上を選択された広告選択情報を含めて通信情報として登録するステップを含むことを特徴とするハイブリッド・メール情報収集方法。
【請求項４６】
請求項４３〜４５の何れかに記載のハイブリッド・メール情報収集方法において、
少なくとも、前記通信情報を利用して手紙を作成するステップを含むことを特徴とするハイブリッド・メール情報収集方法。
【請求項４７】
請求項４３〜４６の何れかに記載のハイブリッド・メール情報収集方法において、
少なくとも、前記通信情報から１つ以上の項目を集計するステップを含むことを特徴とするハイブリッド・メール情報収集方法。
【請求項４８】
請求項４３〜４７の何れかに記載のハイブリッド・メール情報収集方法において、
少なくとも、アンケートの為のデータを該利用者に送るステップと、前記アンケートに対する回答を該利用者から受け取るステップを含むことを特徴とするハイブリッド・メール情報収集方法。
【請求項４９】
収集した前記回答データから１つ以上の項目を集計するステップを含むことを特徴とする請求項４８記載のハイブリッド・メール情報収集方法。
【請求項５０】
請求項１〜４９の何れかに記載のハイブリッド・メール情報収集方法を実行することを特徴とするハイブリッド・メール情報収集システム。
【発明の詳細な説明】
【技術分野】
【０００１】  本発明はハイブリッド・メールを活用したハイブリッド・マーケティング・プロモーション・システムに関する。
また、本発明はハイブリッド・メール情報収集方法に関する。
また、本発明はハイブリッド・メール情報収集システムに関する。
また、本発明はノベルティ提供方法に関するものである。
【背景技術】
【０００２】  様々な企業、法人及び団体がスポンサーとなり、商品マーケティングとか事業活動の告知、基本理念の告知などのためにノベルティ・グッズなど利用して行っている。【０００３】  このようなノベルティ・グッズは、様々なタイプがあるが、その代表的なものとしてはテレカのような小額のプリペイド・カードがよく利用される。【０００４】  然しながら、それらのグッズは提供された対象者のみに告知する場合が多く第三者へ波及告知の効果は皆無であり、告知効果の範囲がグッズ配布先までと限定される。【０００５】  さらに、該スポンサーは、該グッズ配布先から該告知に対するフィードバック情報を得ることなど皆無といっていい。【０００６】  様々な企業及び団体が、商品マーケティングとか活動の告知などのために一般消費者の嗜好、生活パターン、認知度などを調査しており、さらにＴＶ媒体などでも人気歌謡の順位や番組に対する視聴者の反応などを調査している。【０００７】  この様なアンケート調査は様々な方法で行われており、アンケートを回答すると、図書カード等の粗品が回答者に贈呈されたり、街頭でのアンケートでは、路上等で記入した調査票と引き替えに粗品を手渡していたり、郵送によるアンケートでは、返送された複数のアンケートから抽選により選ばれた回答者に対して粗品が郵送されていたり、また、近年では、インターネット上でのアンケートが実施され、受信した複数のアンケートから抽選により選ばれた回答者に対して粗品が郵送されている。【０００８】  さらに、近年、インターネットと携帯電話が普及し、それらを活用してアンケート調査を行い、回答を行うとポイントが提供され、そのポイント数により携帯電話の無料通話とか着メロ無料配布サービスとかが行われている場合もある。【０００９】  以上で述べた、ノベルティ・グッズの配布は、その行為のみで独立し、
アンケート調査も、その行為のみで独立しており、
お互いの相乗効果が得られておらず、スポンサーの経済的資産の非効率な使い方となっている。【００１０】  さらに、ノベルティ・グッズの配布では、その効果を配布先に限定されているのが殆どであり、配布先から、さらにその先へとの、波及拡散効果は皆無であり、さらに、フィードバック情報の取得も皆無であり、ここでもスポンサーの経済的資産の非効率な使い方となっている。【００１１】  さらに、アンケート調査では、その謝礼として回答者に粗品を提供しており、その粗品から得られる回答者から、さらにその先へとの、波及拡散効果は皆無であり、スポンサーの経済的資産の非効率な使い方となっている。【００１２】  ノベルティ・グッズの配布は、配布のみで独立し、アンケート調査も、それに伴う粗品提供で独立し、さらに、かかるようなインターネットとか携帯電話とかのサービス利用対象年齢層は若年層が多く、対象者も固定化されており、広告主にとって決して有効なマーケティング・プロモーションとはなっていない。
【発明の開示】
【発明が解決しようとする課題】
【００１３】  本発明は上記問題点を解決するためになされたものであって、その目的は性別を問わない広範囲な年齢層を対象として、ノベルティ・グッズの配布により配布先への情報告知を行い、そのグッズの利用時に情報収集とアンケート調査を行い、グッズ利用に伴う成果物から情報告知を行うという、スポンサーの経済的資産の効率的使用を実現し、
ノベルティ・グッズの提供から、該グッズの利用時に告知のフィードバック情報の収集とアンケート調査を行い、
さらに該グッズ利用に伴う成果物が告知付き手紙であり、該告知付き手紙が配達されることで告知の拡散効果を求める。
本発明は、このような従来からの課題を解決しようとするものであり、ノベルティ・グッズの提供から、少なくともフィードバック情報の収集とグッズ提供先のその先への告知の拡散を実現することを目的とする好適なツールを複合的に組み合わせたハイブリッド・マーケティング・プロモーションを提供することにある。
【課題を解決するための手段】
【００１４】  すなわち、本発明は、以下の請求項で規定されるものである。
請求項１〜２１はインターネットを利用した場合であり、その内、請求項１〜７は、対象者を予め特定せずに誰でもノベルティ・グッズとなるサービスを利用できるオープン型識別装置として使用できる場合であり、請求項８〜１４は対象者を特定し利用回数を限定する方式であり、前払い方式のようなファンド型識別装置として使用できる場合であり、請求項１５〜２１は対象者を特定し利用回数を限定しない方式であり、後払い方式のようなメンバー型識別装置として使用できる場合であり、
そして、請求項２２〜４２は通信回線を利用した場合であり、その内、請求項２２〜２８は、対象者を予め特定せずに誰でもノベルティ・グッズとなるサービスを利用できるオープン型識別装置として使用できる場合であり、請求項２９〜３５は対象者を特定し利用回数を限定する方式であり、前払い方式のようなファンド型識別装置として使用できる場合であり、請求項３６〜４２は対象者を特定し利用回数を限定しない方式であり、後払い方式のようなメンバー型識別装置として使用できる場合であり、
そして、請求項４３〜４９は、プロバイダと利用者がインターネットとか通信回線を利用しないクローズ型利用方法であり、
利用者に対して有料サービスとすることもできる。【００１５】  〔請求項１〕にかかる発明は、少なくとも、携帯電話とか携帯端末とかパソコン等に代表されるようなインターネット接続できる端末と、
少なくとも、インターネットを利用し手紙サービスをするプロバイダの接続先名（ＵＲＬ）が手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、手紙に記録する広告告知情報が文章とか図柄等によって広告情報として記憶されており、
該利用者が該端末から該手紙サービスを利用する際に、
該識別装置に記録されている該利用許諾情報によって該手紙サービス利用の許諾を行うステップと、
該利用者が手紙に記録する宛先とか伝達情報とかに付加して前記広告情報を含めて通信情報として登録するステップを含むことを特徴とするハイブリッド・メール情報収集方法、である。【００１６】  〔請求項２〕にかかる発明は、少なくとも、携帯電話とか携帯端末とかパソコン等に代表されるようなインターネット接続できる端末と、
少なくとも、インターネットを利用し手紙サービスをするプロバイダの接続先名（ＵＲＬ）が手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、手紙に記録する広告告知情報が２つ以上の文章とか図柄等によって広告選択情報として記憶されており、
該利用者が該端末から該手紙サービスを利用する際に、
該識別装置に記録されている該利用許諾情報によって該手紙サービス利用の許諾を行うステップと、
該利用者が手紙に記録する宛先とか伝達情報とかに付加して前記広告選択情報から１つ以上を選択して、その選択された広告選択情報を含めて通信情報として登録するステップを含むことを特徴とするハイブリッド・メール情報収集方法、である。【００１７】  〔請求項３〕にかかる発明は、少なくとも、携帯電話とか携帯端末とかパソコン等に代表されるようなインターネット接続できる端末と、
少なくとも、インターネットを利用し手紙サービスをするプロバイダの接続先名（ＵＲＬ）が手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、手紙に記録する広告告知情報が文章とか図柄等による広告情報と、１つ以上選択されて手紙に記録する広告告知情報が２つ以上の文章とか図柄等による広告選択情報として記憶されており、
該利用者が該端末から該手紙サービスを利用する際に、
該識別装置に記録されている該利用許諾情報によって該手紙サービス利用の許諾を行うステップと、
該利用者が手紙に記録する宛先とか伝達情報とか前記広告情報に付加して前記広告選択情報から１つ以上を選択された広告選択情報を含めて通信情報として登録するステップを含むことを特徴とするハイブリッド・メール情報収集方法、である。【００１８】  〔請求項４〕にかかる発明は、請求項１〜３の何れかに記載のハイブリッド・メール情報収集方法において、
少なくとも、前記通信情報を利用して手紙を作成するステップを含むことを特徴とするハイブリッド・メール情報収集方法、である。【００１９】  〔請求項５〕にかかる発明は、請求項１〜４の何れかに記載のハイブリッド・メール情報収集方法において、
少なくとも、前記通信情報から１つ以上の項目を集計するステップを含むことを特徴とするハイブリッド・メール情報収集方法、である。【００２０】  〔請求項６〕にかかる発明は、請求項１〜５の何れかに記載のハイブリッド・メール情報収集方法において、
少なくとも、アンケートの為のデータを該利用者の該端末に送信するステップと、前記アンケートに対する回答を該利用者の該端末から受け取るステップを含むことを特徴とするハイブリッド・メール情報収集方法、である。【００２１】  〔請求項７〕にかかる発明は、収集した前記回答データから１つ以上の項目を集計するステップを含むことを特徴とする請求項６記載のハイブリッド・メール情報収集方法、である。【００２２】  〔請求項８〕にかかる発明は、少なくとも、携帯電話とか携帯端末とかパソコン等に代表されるようなインターネット接続できる端末と、
少なくとも、インターネットを利用し手紙サービスをするプロバイダの接続先名（ＵＲＬ）とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、前記識別記号と利用可能度数とを対応付けて予め記録したものと、
手紙に記録する広告告知情報が文章とか図柄等によって広告情報として記録したものが記憶されており、
該利用者が該端末から上記識別記号で該手紙サービスを利用すると、
該利用者が手紙に記録する宛先とか伝達情報とかに付加して前記広告情報を含めて通信情報として登録するステップと、
該識別記号による該手紙サービス利用の許諾を行うステップと、
該識別記号による該手紙サービス利用が行われた場合、該手紙サービス利用量に応じて該識別記号の利用可能度数を減少するステップを含むことを特徴とするハイブリッド・メール情報収集方法、である。【００２３】  〔請求項９〕にかかる発明は、少なくとも、携帯電話とか携帯端末とかパソコン等に代表されるようなインターネット接続できる端末と、
少なくとも、インターネットを利用し手紙サービスをするプロバイダの接続先名（ＵＲＬ）とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、前記識別記号と利用可能度数とを対応付けて予め記録したものと、
手紙に記録する広告告知情報が２つ以上の文章とか図柄等によって広告選択情報として記録したものが記憶されており、
該利用者が該端末から上記識別記号で該手紙サービスを利用すると、
該利用者が手紙に記録する宛先とか伝達情報とかに付加して前記広告選択情報から１つ以上を選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号の利用可能度数を減少するステップを含むことを特徴とするハイブリッド・メール情報収集方法、である。【００２４】  〔請求項１０〕にかかる発明は、少なくとも、携帯電話とか携帯端末とかパソコン等に代表されるようなインターネット接続できる端末と、
少なくとも、インターネットを利用し手紙サービスをするプロバイダの接続先名（ＵＲＬ）とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、前記識別記号と利用可能度数とを対応付けて予め記録したものと、
手紙に記録する広告告知情報が文章とか図柄等による広告情報として記録したものと、
１つ以上選択されて手紙に記録する広告告知情報が２つ以上の文章とか図柄等による広告選択情報として記録したものが記憶されており、
該利用者が該端末から上記識別記号で該手紙サービスを利用すると、
該利用者が手紙に記録する宛先とか伝達情報とか前記広告情報に付加して前記広告選択情報から１つ以上を選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号の利用可能度数を減少するステップを含むことを特徴とするハイブリッド・メール情報収集方法、である。【００２５】  〔請求項１１〕にかかる発明は、請求項８〜１０の何れかに記載のハイブリッド・メール情報収集方法において、
少なくとも、前記通信情報を利用して手紙を作成するステップを含むことを特徴とするハイブリッド・メール情報収集方法、である。【００２６】  〔請求項１２〕にかかる発明は、請求項１〜１１の何れかに記載のハイブリッド・メール情報収集方法において、
少なくとも、前記通信情報から１つ以上の項目を集計するステップを含むことを特徴とするハイブリッド・メール情報収集方法、である。【００２７】  〔請求項１３〕にかかる発明は、請求項１〜１２の何れかに記載のハイブリッド・メール情報収集方法において、
少なくとも、アンケートの為のデータを該利用者の該端末に送信するステップと、前記アンケートに対する回答を該利用者の該端末から受け取るステップを含むことを特徴とするハイブリッド・メール情報収集方法、である。【００２８】  〔請求項１４〕にかかる発明は、収集した前記回答データから１つ以上の項目を集計するステップを含むことを特徴とする請求項１３記載のハイブリッド・メール情報収集方法、である。【００２９】〔請求項１５〕にかかる発明は、少なくとも、携帯電話とか携帯端末とかパソコン等に代表されるようなインターネット接続できる端末と、
少なくとも、インターネットを利用し手紙サービスをするプロバイダの接続先名（ＵＲＬ）とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、前記利用者識別記号と、
前記識別記号に関する情報と、
手紙に記録する広告告知情報が文章とか図柄等によって広告情報として記録したものが記憶されており、
該利用者が該端末から上記識別記号で該手紙サービスを利用すると、
該利用者が手紙に記録する宛先とか伝達情報とかに付加して前記広告情報を含めて通信情報として登録するステップと、
該識別記号による該手紙サービス利用の許諾を行うステップと、
該識別記号による該手紙サービス利用が行われた場合、該手紙サービス利用量に応じて該識別記号に課金すべき利用度数の積算処理をするステップを含むことを特徴とするハイブリッド・メール情報収集方法、である。【００３０】  〔請求項１６〕にかかる発明は、少なくとも、携帯電話とか携帯端末とかパソコン等に代表されるようなインターネット接続できる端末と、
少なくとも、インターネットを利用し手紙サービスをするプロバイダの接続先名（ＵＲＬ）とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、前記利用者識別記号と、
前記識別記号に関する情報と、
手紙に記録する広告告知情報が２つ以上の文章とか図柄等によって広告選択情報として記録したものが記憶されており、
該利用者が該端末から上記識別記号で該手紙サービスを利用すると、
該利用者が手紙に記録する宛先とか伝達情報とかに付加して前記広告選択情報から１つ以上を選択して、その選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号に課金すべき利用度数の積算処理をするステップを含むことを特徴とするハイブリッド・メール情報収集方法、である。【００３１】  〔請求項１７〕にかかる発明は、少なくとも、携帯電話とか携帯端末とかパソコン等に代表されるようなインターネット接続できる端末と、
少なくとも、インターネットを利用し手紙サービスをするプロバイダの接続先名（ＵＲＬ）とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータはインターネットで接続されており、
前記管理用コンピュータには、少なくとも、前記利用者識別記号と、
前記識別記号に関する情報と、
手紙に記録する広告告知情報が文章とか図柄等による広告情報として記録したものと、
１つ以上選択されて手紙に記録する広告告知情報が２つ以上の文章とか図柄等による広告選択情報として記録したものが記憶されており、
該利用者が該端末から上記識別記号で該手紙サービスを利用すると、
該利用者が手紙に記録する宛先とか伝達情報とか前記広告情報に付加して前記広告選択情報から１つ以上を選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号に課金すべき利用度数の積算処理をするステップを含むことを特徴とするハイブリッド・メール情報収集方法、である。【００３２】  〔請求項１８〕にかかる発明は、請求項１５〜１７の何れかに記載のハイブリッド・メール情報収集方法において、
少なくとも、前記通信情報を利用して手紙を作成するステップを含むことを特徴とするハイブリッド・メール情報収集方法、である。【００３３】  〔請求項１９〕にかかる発明は、請求項１５〜１８の何れかに記載のハイブリッド・メール情報収集方法において、
少なくとも、前記通信情報から１つ以上の項目を集計するステップを含むことを特徴とするハイブリッド・メール情報収集方法、である。【００３４】  〔請求項２０〕にかかる発明は、請求項１５〜１９の何れかに記載のハイブリッド・メール情報収集方法において、
少なくとも、アンケートの為のデータを該利用者の該端末に送信するステップと、前記アンケートに対する回答を該利用者の該端末から受け取るステップを含むことを特徴とするハイブリッド・メール情報収集方法、である。【００３５】  〔請求項２１〕にかかる発明は、収集した前記回答データから１つ以上の項目を集計するステップを含むことを特徴とする請求項２０記載のハイブリッド・メール情報収集方法、である。【００３６】  〔請求項２２〕にかかる発明は、少なくとも、携帯電話とか携帯端末とかパソコン等に代表されるような通信回線に接続できる端末と、
少なくとも、通信回線を利用し手紙サービスをするプロバイダの接続先名が手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、手紙に記録する広告告知情報が文章とか図柄等によって広告情報として記憶されており、
該利用者が該端末から該手紙サービスを利用する際に、
該識別装置に記録されている該利用許諾情報によって該手紙サービス利用の許諾を行うステップと、
該利用者が手紙に記録する宛先とか伝達情報とかに付加して前記広告情報を含めて通信情報として登録するステップを含むことを特徴とするハイブリッド・メール情報収集方法、である。【００３７】  〔請求項２３〕にかかる発明は、少なくとも、携帯電話とか携帯端末とかパソコン等に代表されるような通信回線に接続できる端末と、
少なくとも、通信回線を利用し手紙サービスをするプロバイダの接続先名が手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、手紙に記録する広告告知情報が２つ以上の文章とか図柄等によって広告選択情報として記憶されており、
該利用者が該端末から該手紙サービスを利用する際に、
該識別装置に記録されている該利用許諾情報によって該手紙サービス利用の許諾を行うステップと、
該利用者が手紙に記録する宛先とか伝達情報とかに付加して前記広告選択情報から１つ以上を選択して、その選択された広告選択情報を含めて通信情報として登録するステップを含むことを特徴とするハイブリッド・メール情報収集方法、である。【００３８】  〔請求項２４〕にかかる発明は、少なくとも、携帯電話とか携帯端末とかパソコン等に代表されるような通信回線に接続できる端末と、
少なくとも、通信回線を利用し手紙サービスをするプロバイダの接続先名が手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、手紙に記録する広告告知情報が文章とか図柄等による広告情報と、１つ以上選択されて手紙に記録する広告告知情報が２つ以上の文章とか図柄等による広告選択情報として記憶されており、
該利用者が該端末から該手紙サービスを利用する際に、
該識別装置に記録されている該利用許諾情報によって該手紙サービス利用の許諾を行うステップと、
該利用者が手紙に記録する宛先とか伝達情報とか前記広告情報に付加して前記広告選択情報から１つ以上を選択された広告選択情報を含めて通信情報として登録するステップを含むことを特徴とするハイブリッド・メール情報収集方法、である。【００３９】  〔請求項２５〕にかかる発明は、請求項２２〜２４の何れかに記載のハイブリッド・メール情報収集方法において、
少なくとも、前記通信情報を利用して手紙を作成するステップを含むことを特徴とするハイブリッド・メール情報収集方法、である。【００４０】  〔請求項２６〕にかかる発明は、請求項２２〜２５の何れかに記載のハイブリッド・メール情報収集方法において、
少なくとも、前記通信情報から１つ以上の項目を集計するステップを含むことを特徴とするハイブリッド・メール情報収集方法、である。【００４１】〔請求項２７〕にかかる発明は、請求項２２〜２６の何れかに記載のハイブリッド・メール情報収集方法において、
少なくとも、アンケートの為のデータを該利用者の該端末に送信するステップと、前記アンケートに対する回答を該利用者の該端末から受け取るステップを含むことを特徴とするハイブリッド・メール情報収集方法、である。【００４２】  〔請求項２８〕にかかる発明は、収集した前記回答データから１つ以上の項目を集計するステップを含むことを特徴とする請求項２７記載のハイブリッド・メール情報収集方法、である。【００４３】  〔請求項２９〕にかかる発明は、少なくとも、携帯電話とか携帯端末とかパソコン等に代表されるような通信回線に接続できる端末と、
少なくとも、通信回線を利用し手紙サービスをするプロバイダの接続先名とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、前記識別記号と利用可能度数とを対応付けて予め記録したものと、
手紙に記録する広告告知情報が文章とか図柄等によって広告情報として記録したものが記憶されており、
該利用者が該端末から上記識別記号で該手紙サービスを利用すると、
該利用者が手紙に記録する宛先とか伝達情報とかに付加して前記広告情報を含めて通信情報として登録するステップと、
該識別記号による該手紙サービス利用の許諾を行うステップと、
該識別記号による該手紙サービス利用が行われた場合、該手紙サービス利用量に応じて該識別記号の利用可能度数を減少するステップを含むことを特徴とするハイブリッド・メール情報収集方法、である。【００４４】  〔請求項３０〕にかかる発明は、少なくとも、携帯電話とか携帯端末とかパソコン等に代表されるような通信回線に接続できる端末と、
少なくとも、通信回線を利用し手紙サービスをするプロバイダの接続先名とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、前記識別記号と利用可能度数とを対応付けて予め記録したものと、
手紙に記録する広告告知情報が２つ以上の文章とか図柄等によって広告選択情報として記録したものが記憶されており、
該利用者が該端末から上記識別記号で該手紙サービスを利用すると、
該利用者が手紙に記録する宛先とか伝達情報とかに付加して前記広告選択情報から１つ以上を選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号の利用可能度数を減少するステップを含むことを特徴とするハイブリッド・メール情報収集方法、である。【００４５】  〔請求項３１〕にかかる発明は、少なくとも、携帯電話とか携帯端末とかパソコン等に代表されるような通信回線に接続できる端末と、
少なくとも、通信回線を利用し手紙サービスをするプロバイダの接続先名とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、前記識別記号と利用可能度数とを対応付けて予め記録したものと、
手紙に記録する広告告知情報が文章とか図柄等による広告情報として記録したものと、
１つ以上選択されて手紙に記録する広告告知情報が２つ以上の文章とか図柄等による広告選択情報として記録したものが記憶されており、
該利用者が該端末から上記識別記号で該手紙サービスを利用すると、
該利用者が手紙に記録する宛先とか伝達情報とか前記広告情報に付加して前記広告選択情報から１つ以上を選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号の利用可能度数を減少するステップを含むことを特徴とするハイブリッド・メール情報収集方法、である。【００４６】  〔請求項３２〕にかかる発明は、請求項２９〜３１の何れかに記載のハイブリッド・メール情報収集方法において、
少なくとも、前記通信情報を利用して手紙を作成するステップを含むことを特徴とするハイブリッド・メール情報収集方法、である。【００４７】〔請求項３３〕にかかる発明は、請求項２９〜３２の何れかに記載のハイブリッド・メール情報収集方法において、
少なくとも、前記通信情報から１つ以上の項目を集計するステップを含むことを特徴とするハイブリッド・メール情報収集方法、である。【００４８】〔請求項３４〕にかかる発明は、請求項２９〜３３の何れかに記載のハイブリッド・メール情報収集方法において、
少なくとも、アンケートの為のデータを該利用者の該端末に送信するステップと、前記アンケートに対する回答を該利用者の該端末から受け取るステップを含むことを特徴とするハイブリッド・メール情報収集方法、である。【００４９】  〔請求項３５〕にかかる発明は、収集した前記回答データから１つ以上の項目を集計するステップを含むことを特徴とする請求項３４記載のハイブリッド・メール情報収集方法、である。【００５０】  〔請求項３６〕にかかる発明は、少なくとも、携帯電話とか携帯端末とかパソコン等に代表されるような通信回線に接続できる端末と、
少なくとも、通信回線を利用し手紙サービスをするプロバイダの接続先名とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、前記利用者識別記号と、
前記識別記号に関する情報と、
手紙に記録する広告告知情報が文章とか図柄等によって広告情報として記録したものが記憶されており、
該利用者が該端末から上記識別記号で該手紙サービスを利用すると、
該利用者が手紙に記録する宛先とか伝達情報とかに付加して前記広告情報を含めて通信情報として登録するステップと、
該識別記号による該手紙サービス利用の許諾を行うステップと、
該識別記号による該手紙サービス利用が行われた場合、該手紙サービス利用量に応じて該識別記号に課金すべき利用度数の積算処理をするステップを含むことを特徴とするハイブリッド・メール情報収集方法、である。【００５１】  〔請求項３７〕にかかる発明は、少なくとも、携帯電話とか携帯端末とかパソコン等に代表されるような通信回線に接続できる端末と、
少なくとも、通信回線を利用し手紙サービスをするプロバイダの接続先名とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、前記利用者識別記号と、
前記識別記号に関する情報と、
手紙に記録する広告告知情報が２つ以上の文章とか図柄等によって広告選択情報として記録したものが記憶されており、
該利用者が該端末から上記識別記号で該手紙サービスを利用すると、
該利用者が手紙に記録する宛先とか伝達情報とかに付加して前記広告選択情報から１つ以上を選択して、その選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号に課金すべき利用度数の積算処理をするステップを含むことを特徴とするハイブリッド・メール情報収集方法、である。【００５２】  〔請求項３８〕にかかる発明は、少なくとも、携帯電話とか携帯端末とかパソコン等に代表されるような通信回線に接続できる端末と、
少なくとも、通信回線を利用し手紙サービスをするプロバイダの接続先名とサービス利用者を特定する識別記号か、或いは識別記号を入手する方法か、或いはいずれもが前記手紙サービスの利用許諾情報として予め記録されている識別装置から主としてなり、
該識別装置に記録されている該利用許諾情報によって、前記手紙サービスを利用し、
上記プロバイダは該利用された識別装置に関する情報を記憶し、管理する管理用コンピュータを備え、
かつ、前記端末と前記管理用コンピュータは通信回線で接続されており、
前記管理用コンピュータには、少なくとも、前記利用者識別記号と、
前記識別記号に関する情報と、
手紙に記録する広告告知情報が文章とか図柄等による広告情報として記録したものと、
１つ以上選択されて手紙に記録する広告告知情報が２つ以上の文章とか図柄等による広告選択情報として記録したものが記憶されており、
該利用者が該端末から上記識別記号で該手紙サービスを利用すると、
該利用者が手紙に記録する宛先とか伝達情報とか前記広告情報に付加して前記広告選択情報から１つ以上を選択された広告選択情報を含めて通信情報として登録するステップと、
該識別記号による該手紙サービス利用の許諾を行うステップと、
該識別記号による該手紙サービス利用が行われた場合、該手紙サービス利用量に応じて該識別記号に課金すべき利用度数の積算処理をするステップを含むことを特徴とするハイブリッド・メール情報収集方法、である。【００５３】  〔請求項３９〕にかかる発明は、請求項３６〜３８の何れかに記載のハイブリッド・メール情報収集方法において、
少なくとも、前記通信情報を利用して手紙を作成するステップを含むことを特徴とするハイブリッド・メール情報収集方法、である。【００５４】  〔請求項４０〕にかかる発明は、請求項３６〜３９の何れかに記載のハイブリッド・メール情報収集方法において、
少なくとも、前記通信情報から１つ以上の項目を集計するステップを含むことを特徴とするハイブリッド・メール情報収集方法、である。【００５５】  〔請求項４１〕にかかる発明は、請求項３６〜４０の何れかに記載のハイブリッド・メール情報収集方法において、
少なくとも、アンケートの為のデータを該利用者の該端末に送信するステップと、前記アンケートに対する回答を該利用者の該端末から受け取るステップを含むことを特徴とするハイブリッド・メール情報収集方法、である。【００５６】  〔請求項４２〕にかかる発明は、収集した前記回答データから１つ以上の項目を集計するステップを含むことを特徴とする請求項４１記載のハイブリッド・メール情報収集方法、である。【００５７】  〔請求項４３〕にかかる発明は、手紙サービスを提供するプロバイダは、少なくとも、管理用コンピュータを備え、
前記管理用コンピュータには、少なくとも、手紙に記録する広告告知情報が文章とか図柄等によって広告情報として記憶されており、
該手紙サービスの利用を許諾された利用者が該手紙サービスを利用する際に、
該利用者が手紙に記録する宛先とか伝達情報とかに付加して前記広告情報を含めて通信情報として登録するステップを含むことを特徴とするハイブリッド・メール情報収集方法、である。【００５８】  〔請求項４４〕にかかる発明は、手紙サービスを提供するプロバイダは、少なくとも、管理用コンピュータを備え、
前記管理用コンピュータには、少なくとも、手紙に記録する広告告知情報が２つ以上の文章とか図柄等によって広告選択情報として記憶されており、
該該手紙サービスの利用を許諾された利用者が該手紙サービスを利用する際に、
該利用者が手紙に記録する宛先とか伝達情報とかに付加して前記広告選択情報から１つ以上を選択して、その選択された広告選択情報を含めて通信情報として登録するステップを含むことを特徴とするハイブリッド・メール情報収集方法、である。【００５９】  〔請求項４５〕にかかる発明は、手紙サービスを提供するプロバイダは、少なくとも、管理用コンピュータを備え、
前記管理用コンピュータには、少なくとも、手紙に記録する広告告知情報が文章とか図柄等による広告情報と、１つ以上選択されて手紙に記録する広告告知情報が２つ以上の文章とか図柄等による広告選択情報として記憶されており、
該該手紙サービスの利用を許諾された利用者が該手紙サービスを利用する際に、
該利用者が手紙に記録する宛先とか伝達情報とか前記広告情報に付加して前記広告選択情報から１つ以上を選択された広告選択情報を含めて通信情報として登録するステップを含むことを特徴とするハイブリッド・メール情報収集方法、である。【００６０】  〔請求項４６〕にかかる発明は、請求項４３〜４５の何れかに記載のハイブリッド・メール情報収集方法において、
少なくとも、前記通信情報を利用して手紙を作成するステップを含むことを特徴とするハイブリッド・メール情報収集方法、である。【００６１】  〔請求項４７〕にかかる発明は、請求項４３〜４６の何れかに記載のハイブリッド・メール情報収集方法において、
少なくとも、前記通信情報から１つ以上の項目を集計するステップを含むことを特徴とするハイブリッド・メール情報収集方法、である。【００６２】  〔請求項４８〕にかかる発明は、請求項４３〜４７の何れかに記載のハイブリッド・メール情報収集方法において、
少なくとも、アンケートの為のデータを該利用者に送るステップと、前記アンケートに対する回答を該利用者から受け取るステップを含むことを特徴とするハイブリッド・メール情報収集方法、である。【００６３】  〔請求項４９〕にかかる発明は、収集した前記回答データから１つ以上の項目を集計するステップを含むことを特徴とする請求項４８記載のハイブリッド・メール情報収集方法、である。【００６４】〔請求項５０〕にかかる発明は、請求項１〜４９の何れかに記載のハイブリッド・メール情報収集方法を実行することを特徴とするハイブリッド・メール・システム、である。
【発明を実施するための最良の形態】
【００６５】  以下、本発明を具体化した一実施の形態について具体的に説明する。図１は本実施形態の識別装置の一例であり、図２は、本実施形態のハイブリッド・マーケティング・プロモーション・システムの全体概略構成図であり、図３は本実施形態のＨＭＰ運営システム２００の概略構成図である。【００６６】    （識別装置）
まず、本発明におけるハイブリッド・マーケティング・プロモーション・システムで使用する識別装置は、少なくとも、インターネット或いは通信回線或いは双方を利用し手紙サービスをするプロバイダの接続先名（ＵＲＬ）或いは連絡先が記録されているものであり、一般的には、すでに公知のものである。【００６７】  これは、ＫＤＤＩから発売されているスーパーワールドカードであるとか、日本の携帯電話各社から発売されている携帯電話プリペイド・カードのような接続先電話番号と利用者を特定するＩＤ番号が識別記号として記録されたカードに代表されるようなものとか、或いは、クレジット・カードのような、利用者を特定するＩＤ番号が識別記号として記録されたカードに代表されるようなものである。【００６８】  識別装置の形状とか材質には特にこだわらない。【００６９】  例えば、ノベルティ・グッズとして応用する場合は、ＮＴＴテレカに代表されるようなカード形状の場合は、何れかの面を広告告知の面として利用することで、それ自体で告知媒体としての役割も得られる。【００７０】  接続先名とか連絡先とかの情報の記録方法は、利用者が視覚にて判別できる文字情報であってもよいし、図柄とか、ＯＣＲ文字とか、バーコードとか、磁気情報とか、さらには近年携帯電話の組み込みカメラで読み取り識別できる二次元バーコードとか、さらには利用者が聴覚或いは触覚にて判別できるものであってもよい。【００７１】  さらに、その記録方法は将来出現するような装置で認識できる方式であってもよい。【００７２】  さらに、利用者を特定する識別記号を付加する場合、図１のように複数記録することで、次のような効果が考えられる。【００７３】  識別装置に記録されている識別記号を、何らかの方法（例えば、他の媒体に書き写す等）で分けることができれば、第三者に渡すことが可能となり、告知対象が識別装置を所有する対象者以外のも広がり、告知先拡散効果が得られる。【００７４】  識別装置を雑誌等の出版物に応用した場合は、告知情報と接続先名を記録し、接続してきた対象者に対し、前記識別記号を通知することにより、今までにないノベルティ・カードとしての効果が得られる。【００７５】  ＨＭＰ運営システム２００は、インターネット３或いは通信回線４に接続されていてもよいし、その双方に接続されていてもよい。ＨＭＰ運営システム２００は、少なくとも１つの接続先名或いは連絡先をもってもよいし、複数の接続先名或いは連絡先をもってもよいし、複数の接続先名と連絡先をもってもよい。【００７６】  パソコン１及び移動局（携帯電話、携帯端末等）２には各々メールアドレスａ１，ａ２が予め付与されていてもよいし、いなくてもよい。【００７７】  ＨＭＰ運営システム２００は、プロバイダＡ（インターネット３或いは通信回線４或いは双方を利用した手紙サービス会社）が運営しているシステムであり、管理用装置２０１と情報集計装置２０２と手紙作成装置２０３を含む。尚、プロバイダＡはインターネット或いは通信回線或いは双方を利用した手紙サービス会社から委託を受けシステムを運用するものでもよい。また、情報集計装置２０２は、管理用装置２０１或いは手紙作成装置２０３がその機能を有する、又は他の会社が設��又は運営するものでもよい。また、手紙作成装置２０３は、管理用装置２０１或いは情報集計装置２０２がその機能を有する、又は他の会社が設置又は運営するものでもよい。また、管理用装置２０１は、情報集計装置２０２或いは情報集計装置２０２がその機能を有する、又は他の会社が設置又は運営するものでもよい。【００７８】  情報集計装置２０２は管理用装置２０１とは、離れた場所に設置されてもよく、その各々をインターネット或いは通信回線で接続してもよいし、しなくてもよい。【００７９】  手紙作成装置２０３は管理用装置２０１とは、離れた場所に設置されてもよく、その各々をインターネット或いは通信回線で接続してもよいし、しなくてもよい。【００８０】  図４は管理用コンピュータのメモリー或いは外部記憶装置に或いはいずれにも格納された、データ格納のフォーマットの一例であり、例えば「利用許諾情報ＤＢ」として格納されている。【００８１】  図５は管理用コンピュータのメモリー或いは外部記憶装置、或いはいずれにも格納された、データ格納のフォーマットの一例であり、例えば「伝達付加情報ＤＢ」として格納されている。【００８２】  図６は管理用コンピュータのメモリー或いは外部記憶装置、或いはいずれにも格納された、データ格納のフォーマットの一例であり、例えば「広告告知情報ＤＢ」として格納されている。【００８３】  図７は管理用コンピュータのメモリー或いは外部記憶装置、或いはいずれにも格納された、データ格納のフォーマットの一例であり、例えば「広告選択情報ＤＢ」として格納されている。【００８４】  図８は管理用コンピュータのメモリー或いは外部記憶装置、或いはいずれにも格納された、データ格納のフォーマットの一例であり、例えば「通信情報ＤＢ」として格納されている。【００８５】  図９は管理用コンピュータのメモリー或いは外部記憶装置、或いはいずれにも格納された、データ格納のフォーマットの一例であり、例えば「アンケート情報ＤＢ」として格納されている。【００８６】  図１０は管理用コンピュータのメモリー或いは外部記憶装置、或いはいずれにも格納された、データ格納のフォーマットの一例であり、例えば「手紙情報情報ＤＢ」として格納されている。【００８７】  管理用装置２０１は、管理用コンピュータ２０４、利用許諾情報ＤＢ２１１、伝達付加情報ＤＢ２１２、広告告知情報ＤＢ２１３、広告選択情報ＤＢ２１４、通信情報ＤＢ２１５を含む。【００８８】  情報集計装置２０２は、情報集計センター２０５、アンケートＤＢ２１６、手紙情報ＤＢ２１７を含む。【００８９】  パソコン１と移動局２はインターネット３或いは通信回線４に接続して使用する。尚、パソコン及び移動局は図１に示す物・数に限定されない。【００９０】  まず、各利用者は、該識別装置を入手した後、該識別装置に記録してある、少なくとも接続先名或いは連絡先を含む利用許諾情報を認識した上で、所有する端末から、インターネット３或いは通信回線４に接続して該サービスの該利用許諾情報として管理用コンピュータ２０４へ送信する。【００９１】  管理用コンピュータ２０４は、利用許諾情報ＤＢ２１１に予め記録されている情報と前記送られてきた該利用許諾情報とを比較して、該サービスの���用許諾の判断をする。【００９２】  管理用コンピュータは、該利用許諾情報が利用許諾に適合しない場合は、該利用者の所有端末に、許諾しない旨の情報を該利用者が持つ端末に送信し、該端末は文字とか図とか等にて表示又は音声にて再生してもよい。【００９３】  管理用コンピュータは、該利用許諾情報が利用許諾に適合した場合は、該利用者の所有端末に、宛先とか通信文の入力を促す情報を該利用者が持つ端末に送信し、該端末は文字とか図とか等にて表示又は音声にてガイダンス１として再生する。【００９４】  さらに、管理用コンピュータは、手紙を作成する際の便に供する、時候の挨拶とか季節の図柄等の情報を伝達付加情報ＤＢ２１２から取り出して、その情報を該利用者が持つ端末に送信し、該端末は文字とか図とか等にて表示又は音声にてガイダンス２として再生することを行ってもよい。【００９５】  さらに、管理用コンピュータは、手紙に記録する広告告知情報を広告告知情報ＤＢ２１３から取り出して、その情報を利用者が持つ端末に送信し、該端末は文字とか図とか等にて表示又は音声にてガイダンス３として再生することを行ってもよい。【００９６】  さらに、管理用コンピュータは、該利用者が２つ以上の広告告知情報から選択して手紙に記録する広告選択情報を広告選択情報ＤＢ２１４から取り出して、その情報を該利用者が持つ端末に送信し、該端末は文字とか図とか等にて表示又は音声にてガイダンス４として再生することを行ってもよい。【００９７】  さらに、管理用コンピュータ２０４は、情報集計装置２０２にアクセスし、該利用者に対しアンケートを実施してもよい。情報集計装置２０２は、情報集計センター２０５、アンケートＤＢ２１６、手紙ＤＢ２１７を含む。アンケートＤＢ２１６には、複数のアンケートの為の情報が予め記録されている。管理用コンピュータ２０４は、該利用許諾情報によって特定されるアンケートの為の情報を情報集計センター２０５から受け取り、それを該利用者が持つ端末に送信し、該端末は文字とか図とか等にて表示又は音声にてガイダンス５として再生することを行ってもよい。【００９８】  そして、該利用者は前記ガイダンス１〜５のうち、受け取ったものに対し、キー操作等によって情報入力し、該端末から該情報を管理用コンピュータ２０４に送信し、管理用コンピュータ２０４は、該利用者から該情報を受け取ると、通信情報として通信情報ＤＢ２１５へ記憶する。【００９９】  さらに、管理用コンピュータ２０４は、該識別情報に関する情報を利用許諾情報ＤＢ２１４へ記憶する。【０１００】さらに、管理用コンピュータ２０４は、該利用者からガイダンス２〜４のいずれかの情報を受け取った場合、情報集計センター２０５に、該情報を伝達し、情報集計センター２０５は該情報を手紙情報ＤＢ２１７に記憶する。【０１０１】  さらに、情報集計センター２０５は、手紙情報ＤＢ２１７に記憶した情報を所定の手順（予め設定された規則）に従って集計した結果を当該手紙情報ＤＢ２１７に記憶する。【０１０２】  さらに、管理用コンピュータ２０４は、該利用者からガイダンス５の情報を受け取った場合、情報集計センター２０５に、該情報を伝達し、情報集計センター２０５は該情報をアンケートＤＢ２１��に記憶する。【０１０３】  さらに、情報集計センター２０５は、アンケートＤＢ２１６に記憶した情報を所定の手順（予め設定された規則）に従って集計した結果を当該アンケートＤＢ２１６に記憶する。【０１０４】  次に、管理用コンピュータ２０４は、通信情報ＤＢ２１５から手紙を作成する情報である通信情報を手紙作成装置２０３へ伝達する。【０１０５】  この時、管理用コンピュータ２０４は、該識別装置がオープン型識別装置として使用した場合は、利用許諾情報ＤＢ２１１に記憶した情報を所定の手順（予め設定された規則）に従って集計した結果を当該利用許諾情報ＤＢ２１１に記憶する。【０１０６】  或いは、管理用コンピュータ２０４は、該識別装置がファンド型識別装置として使用した場合は、利用許諾情報ＤＢ２１１に記憶した識別装置に関する情報の中の該識別記号に該当する識別記号ごとの利用可能度数から利用量に応じて減算し、結果を該識別記号の利用可能度数として利用許諾情報ＤＢ２１１に記憶する。【０１０７】  或いは、管理用コンピュータ２０４は、該識別装置がメンバー型識別装置として使用した場合は、利用許諾情報ＤＢ２１１に記憶した識別装置に関する情報の中の該識別記号に該当する識別記号ごとの利用度数を利用量に応じて積算し、結果を該識別記号の利用度数として利用許諾情報ＤＢ２１１に記憶する。【０１０８】  手紙作成装置２０３は、管理用コンピュータ２０４から伝達された該通信情報を所定の手順（予め設定された規則）に従って手紙として作成し、該手紙を手紙配達事業者３００に委託して手紙配達先４００へと配達する。但し、手紙配達事業者は、自己でも第三者でもどちらでもよい。【０１０９】  本実施の形態で説明する管理用コンピュータ２０４は、パーソナルコンピュータ、ワークステーション等の汎用的な目的で使用される計算機上で実行するコンピュータプログラムにより実現する。【０１１０】  計算機は、処理装置、主記憶装置、補助記憶装置、入出力装置などから構成され、コンピュータプログラムを実行するものであり、コンピュータプログラムは、フロッピー（登録商標）ディスクやＣＤ−ＲＯＭ等の可搬型媒体やネットワーク接続された他の計算機の主記憶装置や補助記憶装置等に格納されて提供される。【０１１１】  提供されたコンピュータプログラムは、可搬型媒体から直接計算機の主記憶装置にロードされ、または可搬型媒体から一旦補助記憶装置にコピーまたはインストール後に主記憶装置にロードされ実行する。また、ネットワーク接続された他の装置に格納されて提供された場合も、他の装置からネットワークを経由して受信後に補助記憶装置にコピーまたはインストールされ、主記憶装置にロードされ実行するものである。【０１１２】  同様に、情報集計センター２０５、手紙作成装置２０３は、パーソナルコンピュータ、ワークステーション等の汎用的な目的で使用される計算機上でそれぞれ実行するコンピュータプログラムにより実現する。【０１１３】    （利用許諾情報ＤＢ）
利用許諾情報ＤＢは、各利用者の利用許諾確認の時、例えば、図４−（ａ）のテーブルを利用すると、第１ステップとして、日付が有効期限情報の範囲内か否かの確認と、
第２ステップとして識別記号が当該接続先名で有効か否かの確認を行う方法が好ましい。図４−（ａ）の例では、テーブル内の識別記号が未定義であればオープン型の利用としている。【０１１４】  各利用者が識別装置をオープン型識別装置として利用した場合、例えば、接続先名エリア、日付情報エリア、利用度数エリアからなる図４（ｂ）のＮｏ．１の例についてみると、接続先名（「／Ａ００１／」は接続先エリアに書き込まれ、日付データ（「２００４０１０１１０００」）は日付情報エリアに書き込まれ、利用度数（「１」）は利用度数エリアに書き込まれている。【０１１５】  また、管理用コンピュータ２０４においては、各利用者が識別装置をオープン型識別装置として利用した場合の管理を行う為、図４（ｂ）に示したようなフォーマットの「利用許諾情報ＤＢ」を作成することが好ましい。【０１１６】  各利用者が識別装置をファンド型識別装置として利用した場合、例えば、接続先名エリア、識別記号エリア、日付情報エリア、利用度数エリア、残度数エリアからなる図４（ｃ）のＮｏ．１の例についてみると、接続先名（「／Ａ００３／」は接続先エリアに書き込まれ、識別記号（「１２３４  ５６７８」）は識別記号エリアに書き込まれ、日付データ（「０」）は日付情報エリアに書き込まれ、利用度数（「０」）は利用度数エリアに書き込まれ、残度数（「４」）は残度数エリアに書き込まれている。日付情報並びに利用度数がともに「０」ということで、この例では利用情報ではなく初期情報である。つまり、識別記号（「１２３４５６７８」）は利用度数「５」まで利用できるということである。さらに、図４（ｃ）のＮｏ．２の例についてみると、接続先名（「／Ａ００３／］は接続先エリアに書き込まれ、識別記号（「１２３４  ５６７８」）は識別記号エリアに書き込まれ、日付データ（「２００４０１０１１０００」）は日付エリアに書き込まれ、利用度数（「１」）は利用度数エリアに書き込まれ、残度数から利用度数分減算された残度数（「４」）が残度数エリアに書き込まれている。【０１１７】  また、管理用コンピュータ２０４においては、各利用者が識別装置をファンド型識別装置として利用した場合の管理を行う為、図４（ｃ）に示したようなフォーマットの「利用許諾情報ＤＢ」を作成することが好ましい。【０１１８】  各利用者が識別装置をメンバー型識別装置として利用した場合、例えば、接続先名エリア、識別記号エリア、日付情報エリア、利用度数エリア、利用度数エリアからなる図４（ｄ）のＮｏ．１の例についてみると、接続先名（「／Ａ００２／」は接続先エリアに書き込まれ、識別記号（「５３７８  ９３６４」）は識別記号エリアに書き込まれ、日付データ（「２００４０１０１１０００」）は日付情報エリアに書き込まれ、利用度数（「１」）は利用度数エリアに書き込まれている。さらに、図４（ｄ）のＮｏ．２の例についてみると、接続先名（「／Ａ００３／」は接続先エリアに書き込まれ、識別記号（「５３７８  ９３６４」）は識別記号エリアに書き込まれ、日付データ（「２００４０１０１１０００」）は日付情報エリアに書き込まれ、利用度数（「２」）は利用度数エリアに書き込まれ、累計度数に利用度数分積算された累計度数（「３」）が累計度数エリアに書き込まれている。【０１１９】  また、管理用コンピュータ２０４においては、各利用者が識別装置をメンバー型識別装置として利用した場合の管理を行う為、図４（ｄ）に示したようなフォーマットの「利用許諾情報ＤＢ」を作成することが好ましい。【０１２０】    （伝達付加情報ＤＢ）
各利用者が手紙を作成する際に、時候の挨拶とか、一般的な挿し絵等の便に供す目的で予め用意したものから、利用者が自由に選択して手紙に記録してもよい方法を行ってもよい。【０１２１】  伝達付加情報ＤＢは、例えば、接続先名エリア、識別記号エリア、日付情報エリア、挨拶番号１エリア、挨拶番号２エリアからなる図５（ｂ）のＮｏ．１の例についてみると、接続先名（「／Ａ００３／」は接続先エリアに書き込まれ、識別記号（「１２３４  ５６７８」）は識別記号エリアに書き込まれ、日付データ（「２００４０１０１１０００」）は日付エリアに書き込まれ、挨拶情報番号（「０１００１」）は挨拶情報番号１エリアに書き込まれ、挨拶情報番号（「０１００２」）は挨拶情報番号２エリアに書き込まれている。この例では、「新春の候、」という挨拶言葉と「（梅の花の絵）の図柄」が選択されたことになる。【０１２２】  また、管理用コンピュータ２０４においては、各利用者が伝達付加情報を選択利用した場合の管理を行う為、図５（ａ）〜（ｂ）に示したようなフォーマットの「伝達付加情報ＤＢ」を作成することが好ましい。【０１２３】    （広告告知情報ＤＢ）
各利用者が手紙を作成する際に、手紙に記録する広告告知情報を予め用意し、手紙に記録する方法を行ってもよい。【０１２４】  広告告知情報ＤＢは、例えば、接続先名エリア、日付情報エリア、告知情報番号エリア、告知情報エリアからなる図６（ａ）のＮｏ．１の例についてみると、接続先名（「／Ａ００３／」は接続先エリアに書き込まれ、情報が登録された日付データ（「２００３１２０１」）は日付エリアに書き込まれ、告知情報番号（「Ａ００３００１」）は告知情報番号エリアに書き込まれ、告知情報（「ＭＨＳ  ＬＴＤ．」）は告知情報情報エリアに書き込まれている。この例では、接続先名「／Ａ００３／」に、告知情報番号を「Ａ００３００１」として、「ＭＨＳのハイブリッド・プロモーション」という告知情報が、２００３年１２月１日に登録された。ということが表示されている。【０１２５】  また、管理用コンピュータ２０４においては、各利用者に広告が告知された場合の情報管理を行うため、各接続先名ごとに図６（ｂ）に示したようなフォーマットの「広告告知情報ＤＢ」を作成することが好ましい。図は接続先名「／Ａ００３／」に対応するものであって、Ｎｏ．１では告知情報番号を「Ａ００３００１」が２００３年１２月１５日に告知されたとして表示されている。【０１２６】    （広告選択情報ＤＢ）
各利用者が手紙を作成する際に、手紙に記録する複数の広告告知情報を用意したものから、利用者が自由に選択して手紙に記録してもよい方法を行ってもよい。【０１２７】  広告選択情報ＤＢは、例えば、接続先名エリア、日付情報エリア、告知情報番号エリア、告知情報エリアからなる図７（ａ）のＮｏ．１の例についてみると、接続先名（「／Ａ００３／」は接続先エリアに書き込まれ、情報が登録された日付データ（「２００３１２０１」）は日付エリアに書き込まれ、告知情報番号（「Ａ００３００１０１」）は告知情報番号エリアに書き込まれ、告知情報（「携帯電話から送れる手紙」）は告知情報情報エリアに書き込まれている。この例では、接続先名「／Ａ００３／」に、告知情報番号を「Ａ００３００１」として、「携帯電話から送れる手紙」という告知情報が、２００３年１２月１日に登録された。ということが表示されている。ここでは、Ｎｏ．１〜３までの３つの選択告知情報として表示されている。【０１２８】  また、管理用コンピュータ２０４においては、各利用者が広告選択情報を選択した場合の管理を行う為、図７（ｂ）に示したようなフォーマットの「広告選択情報ＤＢ」を作成することが好ましい。図は接続先名「／Ａ００３／」に対応するものであって、Ｎｏ．１では告知情報番号「Ａ００３００１０１」が２００３年１２月１５日に選択されたとして表示されている。【０１２９】    （通信情報ＤＢ）
このデータは、例えば、接続先名エリア、識別記号エリア、日付情報エリア、宛先１エリア、宛先２エリア、通信文エリア、挨拶情報番号１エリア、挨拶情報番号２エリア、広告告知情報番号エリア、広告選択情報番号エリア、度数エリアからなる。図８の例について見ると、接続先名（「／Ａ００３／」）は接続先名エリアに書き込まれ、識別記号（「１２３４  ５６７８」）は識別記号エリアに書き込まれ、日付情報（「２００４０１０１１１００」）は日付情報エリアに書き込まれ、宛先１（「千葉県千葉市○区△町・・・・・」）は宛先１エリアに書き込まれ、宛先２（「○□  △○  様」）は宛先２エリアに書き込まれ、通信文（「爽やかな・・・から書いております」）は通信文エリアに書き込まれ、挨拶情報番号１（「０１００１」）は挨拶情報番号１エリアに書き込まれ、挨拶情報番号２（「０１００２」）挨拶情報番号２エリアに書き込まれ、広告告知情報番号（「Ａ００３００１」）は広告告知情報番号エリアに書き込まれ、広告選択情報番号（「Ａ００３００１０２」）は広告選択情報番号エリアに書き込まれ、度数（「１」）は度数エリアに書き込まれており、
また、上記通信文は文字に限定しなくてもよく、近年のカメラ付携帯電話とかデジタルカメラ等が普及し、例えば撮影をした写真等を上記通信文の一部としてもよい。【０１３０】  また、管理用コンピュータ２０４においては、該利用者が手紙サービスを利用した場合の管理を行う為、図８に示したようなフォーマットの「通信情報ＤＢ」を作成することが好ましい。図は接続先名「／Ａ００３／」に、識別記号（「１２３４  ５６７８」）の利用者が、２００４年１月１日１１時００分に、千葉県千葉市○区△町・・・・・の、「○□  △○  様宛に、通信文（「爽やかな・・・から書いております」）に、挨拶情報番号１（「０１００１」）に該当する情報と、挨拶情報番号２（「０１００２」）に該当する情報を付加して、広告告知情報番号（「Ａ００３００１」）に該当する情報と、広告選択情報番号（「Ａ００３００１０２」）に該当する情報を付加して、度数（「１」）として表示されている。【０１３１】    （アンケートＤＢ）
各利用者が手紙を作成する際に、アンケートの質問情報を予め用意し、各利用者に回答を依頼する方法を行ってもよい。【０１３２】  アンケートＤＢは、例えば、項目番号エリア、質問項目エリア、質問内容エリアからなる図９（ａ）の質問テーブルのＮｏ．１の例について見ると、項目番号（「１」）は項目番号エリアに書き込まれ、質問項目（「性別」）は質問項目エリアに書き込まれ、質問内容（「１．男    ２．女」）は質問内容エリアに書き込まれている。この例では質問項目１〜３までが表示されている。【０１３３】  次に、例えば、日付情報エリア、項目番号１の回答内容エリア、項目番号２の回答内容エリア、項目番号３の回答内容エリアからなる図９（ｂ）の回答テーブルのＮｏ．１の例について見ると、日付情報（「２００４０１０１」）が日付情報エリアに書き込まれ、質問項目番号１の回答内容（「１」）が質問項目番号１の回答内容エリアに書き込まれ、質問項目番号２の回答内容（「２」）が質問項目番号２の回答内容エリアに書き込まれ、質問項目番号３の回答内容（「１」）が質問項目番号３の回答内容エリアに書き込まれている。この例では、２００４年１月１日の回答情報として性別は男性、年齢層は１６歳〜２５歳、差出先は家族。という質問の回答内容が表示されている。【０１３４】  次に、例えば、日付情報エリア、項目番号１で１選択エリア、項目番号１で２選択エリア、項目番号２で１選択エリア、項目番号２で１選択エリア、項目番号２で２選択エリア、項目番号２で３選択エリア、項目番号３で１選択エリア、項目番号３で１選択エリア、項目番号３で２選択エリア、項目番号３で３選択エリア、項目番号３で４選択エリア、項目番号３で５選択エリア、からなる図９（ｃ）の集計テーブルのＮｏ．１の例について見ると、日付情報（「２００４０１」）が日付情報エリアに書き込まれ、項目番号１で１選択（「１５１」）は項目番号１で１選択エリアに書き込まれ、項目番号１で２選択（「１４９」）は項目番号１で２選択エリアに書き込まれ、項目番号２で１選択（「８０」）は項目番号２で１選択エリアに書き込まれ、項目番号２で２選択（「１１７」）は項目番号２で２選択エリアに書き込まれ、項目番号２で３選択（「１０３」）は項目番号２で３選択エリアに書き込まれ、項目番号３で１選択（「４８」）は項目番号３で１選択エリアに書き込まれ、項目番号３で２選択（「５８」）は項目番号３で２選択エリアに書き込まれ、項目番号３で３選択（「１０３」）は項目番号３で３選択エリアに書き込まれ、項目番号３で４選択（「１８」）は項目番号３で４選択エリアに書き込まれ、項目番号３で５選択（「７３」）は項目番号３で５選択エリアに書き込まれている。この例では、２００４年１月では、項目番号１で１の選択件数は１５１件、項目番号１で２選択の選択件数は１４９件、項目番号２で１の選択件数は８０件、項目番号２で２の選択件数は１１７件、項目番号２で３の選択件数は１０３件、項目番号３で１の選択件数は４８件、項目番号３で２の選択件数は５８件、項目番号３で３の選択件数は１０３件、項目番号３で４の選択件数は１８件、項目番号３で５の選択件数は７３件。という質問の回答の集計内容が表示されている。【０１３５】  また、情報集計センター２０５においては、該利用者が手紙サービスを利用した際に行ったアンケートの管理を行う為、図９（ａ）〜（ｃ）に示したようなフォーマットの「アンケートＤＢ」を作成することが好ましい。【０１３６】    （手紙情報ＤＢ）
各利用者が、例えば広告情報をどのように選択したかを集計してもよい。【０１３７】  手紙情報ＤＢは、例えば、図１０の例に見ると、接続先（「／Ａ００３／」）の２００４年１月では、広告告知情報毎に広告選択情報がどのように選択されたかが表示されている。情報集計センター２０５においては、各利用者が広告情報をどのように選択したか集計管理を行う為、図１０に示したようなフォーマットの「手紙情報ＤＢ」を作成することが好ましい。【０１３８】  この発明の一実施の仕方を図１１〜図２５のフローチャートで示す。
【実施例１】
【０１３９】  つぎに、本発明にかかる第１の実施例について説明する。但し、本発明はこれら実施例に限定されるものではないことはもちろんである。【０１４０】  近年、カメラ付携帯電話が一般的となり、該カメラで撮影した写真を伝達情報の一部としてもよい。【０１４１】  以上のことから、本実施例によれば、
例えば、識別装置を所有する利用者が山に登り、その眺望の美しさを、該利用者が所有するカメラ付携帯電話で撮影し、その写真を、伝達情報の一部とすることで、該利用者は、その場から絵はがきとして差し出すことができる。
【実施例２】
【０１４２】  つぎに、本発明にかかる第２の実施例について説明する。但し、本発明はこれら実施例に限定されるものではないことはもちろんである。【０１４３】  識別装置として、一般的なパンフレットとか案内書とか雑誌等の出版物に許諾情報を印刷することで応用してもよい。【０１４４】  以上のことから、本実施例によれば、
例えば、配布したパンフレット、案内書等が配布場所の近辺のゴミ箱によく捨てられている場面がある。しかしながら、該パンフレットとか該案内書をノベルティ・グッズとすることで、そのような場面は激減させることができる。
【実施例３】
【０１４５】  つぎに、本発明にかかる第３の実施例について説明する。但し、本発明はこれら実施例に限定されるものではないことはもちろんである。【０１４６】  識別装置として、利用許諾情報を利用希望者の端末に電子メールのような電子情報として送達することで応用してもよい。該端末は文字とか図とか等にて表示又は音声にて再生することを行ってもよい。【０１４７】  以上のことから、本実施例によれば、
例えば、該利用者に該識別装置と該端末を別個に所有する手間を省かせることができる。
【実施例４】
【０１４８】  つぎに、本発明にかかる第４の実施例について説明する。但し、本発明はこれら実施例に限定されるものではないことはもちろんである。【０１４９】  識別装置として、利用希望者が端末からプロバイダ或いはスポンサー等が用意するホームページにアクセスし、その閲覧時に利用許諾情報を該利用希望者の該端末に電子情報として送達することで応用してもよい。該端末は文字とか図とか等にて表示又は音声にて再生することを行ってもよい。【０１５０】  以上のことから、本実施例によれば、
例えば、該利用者は、利用したいときに該ホームページにアクセスすることで、許諾方法を該利用者に入手させることができることから、例えば、山の頂上でも該サービス利用を可能にさせることができる。
【実施例５】
【０１５１】  つぎに、本発明にかかる第５の実施例について説明する。但し、本発明はこれら実施例に限定されるものではないことはもちろんである。【０１５２】  手紙作成装置２０３を各所に設置し、手紙配達期間の短縮化とか、手紙配達コストの低減化を行ってもよく、その設置場所は、管理用装置２０１と同じ国内に限定するものではない。【０１５３】  以上のことから、本実施例によれば、
例えば、海外旅行の旅先から、実施例１で述べられた方法による絵はがきを、国内郵便の速さで、配達先に送達させることができる。
【実施例６】
【０１５４】  つぎに、本発明にかかる第６の実施例について説明する。但し、本発明はこれら実施例に限定されるものではないことはもちろんである。【０１５５】  広告選択ＤＢの内容を適宜改訂することが可能であることから、スポンサーはタイムリーな広告内容を告知できる。【０１５６】  以上のことから、本実施例によれば、
例えば、利用者がノベルティ・グッズを使うたびに、その生産物である葉書に異なる告知内容をスポンサーは表現できることとなり、例えば、四季折々の告知をタイムリーに行うことができる。
【実施例７】
【０１５７】  つぎに、本発明にかかる第７の実施例について説明する。但し、本発明はこれら実施例に限定されるものではないことはもちろんである。【０１５８】  様々な条件を設定したイベントを行い、その条件に適合した手紙を差し出した人とか受け取った人にプレゼントを実施してもよい。【０１５９】  以上のことから、本実施例によれば、
例えば、ほんの一例ではあるが、差出人を対象としたお年玉年賀状とか、一定期間を対象として、その期間での手紙の差出人とか受取人の中から抽選でプレゼントをする、等のイベントが実行できる。
【発明の効果】
【０１６０】  従来からノベルティ・グッズとして著名なＮＴＴテレカの場合もその他のグッズの場合も、全てグッズ提供者（スポンサー）から提供される対象者への一方通行であり、
さらに、該対象者に限定された範囲内に限った利用であり、告知効果を該対象者に限定されていたが、
本発明にかかるシステムにおいては、ノベルティ・グッズが第２の告知効果を生み出す告知付き手紙を生産物とすることから、該告知付き手紙を受け取った人にも、その周辺の人にも、その告知効果が生じ、告知対象が複数となり、きわめて告知効果が広くなる。
【０１６１】  また、本発明においては、ノベルティ・グッズからの生産物である手紙を受け取った人は、手紙という性質上、その保有期間は長期にわたり、スポンサーにとって告知効果の継続性がえられる。
【０１６２】  さらに、本発明は、スポンサーは対象者に広告選択を依頼することが出来ることから、従来には考えられなかった情報収集という効果が得られ、さらにリアルタイムな情報収集ができるノベルティ・グッズとなり、スポンサーにとってその意義は頗る大きいものと云わねばならない。
【０１６３】  さらに、本発明は、本発明を機能させるコンピュータプログラムを、パーソナルコンピュータ、ワークステーション等の汎用的な目的で使用される計算機上で実行することにより実現できることから、新たな産業を生み出し、その雇用創出効果は頗るいいものといえる。
【０１６４】  例えば、観光絵はがき等に応用すると、前記識別装置をファンド型として観光地でしか購入できないプリペイド・カードとして発売し、該カードを利用することで、例えば、観光地の写真と購入者が携帯電話で撮影した写真を合成したりすることで、該利用者オリジナルな観光絵はがきとする新規サービスの創出が可能となり、その経済効果は頗るいいものといえる。
【０１６５】  そのさい、利用者はその場で絵はがきを差し出すばかりではなく、落ち着いた場所から、ポストを探す必要も無く、携帯電話からインターネット経由で手紙を差し出せることから、利用者にとっての利便性はよく、あらたな産業の創出ができ、その経済効果は頗るいいものといえる。
【０１６６】  さらに、例えば幼稚園の運動会で子供の活躍の様子を撮影した写真を、事前に準備した運動会スローガン等のデザインされたものと一緒に絵はがきとして、祖父母とか、祖祖父母などに差し出すサービスを行えば、ほのぼのとした人間関係が構築でき、高齢者の生きがいを生み出すことができ、その福祉効果は頗るいいものといえる。
【０１６７】  本発明は、雇用創出効果とか、経済効果とか、福祉効果とかの社会的効果と、
さらに葉書を差し出す利用者は、その葉書にスポンサーが求める広告を付加することで、通常より割安な料金で葉書を差し出すことが可能となり、スポンサー側は、利用者が広告付き葉書サービスを利用する際に情報を収集し、即座に情報把握ができ、さらに葉書の受取人にも広告の告知効果が得られ、
その効果の影響範囲が頗る広範囲にわたり、その範囲は言い尽くすことが出来ない。
【図面の簡単な説明】
【０１６８】
【図１】識別装置の平面図
【図２】ハイブリッド・マーケティング・プロモーション・システムの全体概略構成図
【図３】ＨＭＰ運営システム２００の概略構成図
【図４】利用許諾情報ＤＢのフォーマット
【図５】伝達付加情報ＤＢのフォーマット
【図６】広告告知情報ＤＢのフォーマット
【図７】広告選択情報ＤＢのフォーマット
【図８】通信情報ＤＢのフォーマット
【図９】アンケートＤＢのフォーマット
【図１０】手紙情報ＤＢのフォーマット
【図１１】オープン型入口処理のフローチャート
【図１２】ファンド型入口処理のフローチャート
【図１３】ファンド型処理のフローチャート
【図１４】メンバー型入口処理のフローチャート
【図１５】メンバー型処理のフローチャート
【図１６】主処理のフローチャート
【図１７】手紙文処理のフローチャート
【図１８】伝達処理のフローチャート
【図１９】広告告知情報処理のフローチャート
【図２０】広告選択情報処理のフローチャート
【図２１】通信情報処理のフローチャート
【図２２】アンケート処理のフローチャート
【図２３】集計処理のフローチャート
【図２４】手紙作成処理のフローチャート
【図２５】終了処理のフローチャート
【符号の説明】
【０１６９】１      端末としてのパソコン
２      端末としての移動局（携帯電話、携帯端末等）
３      インターネット
４      通信回線
２００  ＨＭＰ運営システム
２０１  管理用装置
２０２  情報集計装置
２０３  手紙作成装置
２０４  管理用コンピュータ
２０５  情報集計センター
２１１  利用許諾情報ＤＢ
２１２  伝達付加情報ＤＢ
２１３  広告告知情報ＤＢ
２１４  広告選択情報ＤＢ
２１５  通信情報ＤＢ
２１６  アンケートＤＢ
２１７  手紙ＤＢ
３００  手紙配達事業者
４００  手紙配達先
【図１】
2005346681.tif 000003
【図２】
2005346681.tif 000004
【図３】
2005346681.tif 000005
【図４】
2005346681.tif 000006
【図５】
2005346681.tif 000007
【図６】
2005346681.tif 000008
【図７】
2005346681.tif 000009
【図８】
2005346681.tif 000010
【図９】
2005346681.tif 000011
【図１０】
2005346681.tif 000012
【図１１】
2005346681.tif 000013
【図１２】
2005346681.tif 000014
【図１３】
2005346681.tif 000015
【図１４】
2005346681.tif 000016
【図１５】
2005346681.tif 000017
【図１６】
2005346681.tif 000018
【図１７】
2005346681.tif 000019
【図１８】
2005346681.tif 000020
【図１９】
2005346681.tif 000021
【図２０】
2005346681.tif 000022
【図２１】
2005346681.tif 000023
【図２２】
2005346681.tif 000024
【図２３】
2005346681.tif 000025
【図２４】
2005346681.tif 000026
【図２５】
2005346681.tif 000027